(57)【要約】【課題】針を突出させた位置及び収納した位置で簡単な機構により適切に保持することができ、且つ、変形や破損が生じ難いコンパスを提供する。【解決手段】先端側に針８が設けられたノック部材６が中心脚２の収納筒部２０に当該収納筒部２０に移動可能に挿入される。収納筒部２０に、ノック部材６を針８と反対側に付勢するばね９０が設けられる。収納筒部２０に窓孔２０８が形成されると共にノック部材６に爪部７０７が形成される。ノック部材６がばね９０の付勢力に抗して押動されたときに、爪部７０７が窓孔２０８の縁部２０９に係合されて、ノック部材６が針８を収納筒部２０から突出した突出位置で保持される。ノック部材６に、抜止機能を付与する突起７０２が爪部７０７とは別に形成される。【選択図】図１
0003184844.tif 000002
【実用新案登録請求の範囲】
【請求項１】
中心脚に設けられた収納筒部と、
先端側に針が設けられたノック部材とを備え、
前記ノック部材が前記収納筒部に当該収納筒部の軸方向に移動可能に挿入され、
前記収納筒部に、前記ノック部材を前記針と反対側に付勢する付勢手段が設けられ、
前記収納筒部に係合部が形成されると共に前記ノック部材に被係合部が形成され、
前記ノック部材が前記付勢手段の付勢力に抗して押動されたときに、前記被係合部が前記係合部に係合されて、前記ノック部材が前記針を前記収納筒部から突出した突出位置で保持され、
前記ノック部材が前記突出位置に配置された状態で前記被係合部の係合が解除されたときに、前記ノック部材が前記付勢手段の付勢力によって前記針を前記収納筒部に収納した収納位置まで移動するコンパスにおいて、
前記ノック部材に、前記被係合部とは別の被抜止部が形成され、前記収納筒部に、前記被抜止部に当接することで前記収納位置に配置された前記ノック部材が前記収納筒部から前記針と反対側に抜け出すことを防止するための抜止部が設けられたことを特徴とするコンパス。
【請求項２】
前記ノック部材に、前記被係合部及び前記被抜止部とは別の第二被抜止部が形成され、前記収納筒部に、前記第二被抜止部に当接することで前記ノック部材が前記収納筒部から前記針と反対側に抜け出すことを防止するための第二抜止部が設けられたことを特徴とする請求項１に記載のコンパス。
【請求項３】
前記収納筒部に当該収納筒部の周壁部を貫通する窓孔が形成され、前記係合部が前記窓孔の前記針と反対側の縁部で構成され、前記中心脚及びこの中心脚に対して回動自在に連結される回転脚の両脚のうちの一方に係止解除部材が設けられ、前記ノック部材が前記突出位置に配置された状態で、前記中心脚及び前記回転脚の両脚が閉じられたときに、前記係止解除部材により、前記窓孔に配置された前記被係合部が前記係合部との係合が外れる位置まで押動されるようにしたことを特徴とする請求項１又は請求項２に記載のコンパス。
【考案の詳細な説明】
【技術分野】
【０００１】
本考案は、針を収納可能にしたコンパスに関する。
【背景技術】
【０００２】
特許文献１には、針脚に形成された筒状部に、中心針が出入自在に設けられたコンパスが開示されている。中心針は、筒状部に移動自在に収納された保持幹の先端部に設けられている。筒状部には、圧縮ばねが設けられており、保持幹は、圧縮ばねによって中心針が筒状部内に引き込まれる方向及び筒状部の周方向に回動する方向に付勢されている。筒状部には、縦割溝が形成されており、保持幹には、縦割溝に移動自在に挿入されたピンが設けられている。保持幹を押し下げると、保持幹が圧縮ばねの付勢によって一方向に回動して、ピンが筒状部の縦割溝の一方側に形成された切欠に係止され、これにより、中心針を筒状部から突出させた状態が維持されるようになっている。また、ピンを圧縮ばねの付勢に抗して回動することで、ピンが圧縮ばねの付勢により縦割溝の上端位置まで移動し、中心針が筒状部内に収納されるようになっている。
【先行技術文献】
【特許文献】
【０００３】
【特許文献１】特開平１１−２４０２９３号公報
【考案の概要】
【考案が解決しようとする課題】
【０００４】
特許文献１に開示されるコンパスは、中心針を筒状部に収納したときに、ピンが縦割溝の上端に当たることで、保持幹が筒状部から抜け出ることが防止されている。ところが、ピンは、中心針が筒状部から突出したときにおいて、筒状部に係止される部分をも兼ねてている。すなわち、ピンは、保持幹の抜止めを図る機能と、中心針を突出させたときに保持幹を保持する機能の両者を担っている。このため、保持幹の抜止めを図る機能と、中心針を突出させたときに保持幹を保持する機能を適切に発揮させることが難しい。また、ピンに繰り返し力が加わって、変形や破損が生じる可能性もある。
【０００５】
本考案は前記事情に鑑みてなされたものであって、針を突出させた位置及び収納した位置で簡単な機構により適切に保持することができ、しかも、変形や破損が生じ難いコンパスを提供することを課題とする。
【課題を解決するための手段】
【０００６】
上記課題を解決するために本考案のコンパス１は、中心脚２に設けられた収納筒部２０と、先端側に針８が設けられたノック部材６とを備え、前記ノック部材６が前記収納筒部２０に当該収納筒部２０の軸方向に移動可能に挿入され、前記収納筒部２０に、前記ノック部材６を前記針８と反対側に付勢する付勢手段が設けられ、前記収納筒部２０に係合部が形成されると共に前記ノック部材６に被係合部が形成され、前記ノック部材６が前記付勢手段の付勢力に抗して押動されたときに、前記被係合部が前記係合部に係合されて、前記ノック部材６が前記針８を前記収納筒部２０から突出した突出位置で保持され、前記ノック部材６が前記突出位置に配置された状態で前記被係合部の係合が解除されたときに、前記ノック部材６が前記付勢手段の付勢力によって前記針８を前記収納筒部２０に収納した収納位置まで移動するコンパス１において、前記ノック部材６に、前記被係合部とは別の被抜止部が形成され、前記収納筒部２０に、前記被抜止部に当接することで前記収納位置に配置された前記ノック部材６が前記収納筒部２０から前記針８と反対側に抜け出すことを防止するための抜止部が設けられたことを特徴とする。
【０００７】
また、前記ノック部材６に、前記被係合部及び前記被抜止部とは別の第二被抜止部が形成され、前記収納筒部２０に、前記第二被抜止部に当接することで前記ノック部材６が前記収納筒部２０から前記針８と反対側に抜け出すことを防止するための第二抜止部が設けられることが好ましい。
【０００８】
また、前記収納筒部２０に当該収納筒部２０の周壁部を貫通する窓孔２０８が形成され、前記係合部が前記窓孔２０８の前記針８と反対側の縁部で構成され、前記中心脚２及びこの中心脚２に対して回動自在に連結される回転脚３の両脚２、３のうちの一方に係止解除部材９２が設けられ、前記ノック部材６が前記突出位置に配置された状態で、前記中心脚２及び前記回転脚３の両脚２、３が閉じられたときに、前記係止解除部材９２により、前記窓孔２０８に配置された前記被係合部が前記係合部との係合が外れる位置まで押動されるようにすることが好ましい。
【考案の効果】
【０００９】
本考案にあっては、ノック部材に形成された被係合部と収納筒部に形成された係合部との係合により、突出位置に配置されたノック部材を保持し、ノック部材に被係合部とは別に形成された被抜止部が収納筒部に設けられた抜止部に当接することにより、収納位置に配置されたノック部材が中心脚回動中心側に抜け出ることを防止することができる。従って、ノック部材の被係合部を対応する係合部に適した形状にする等して、突出位置に配置されたノック部材を適切に保持することができ、また、ノック部材の被係合部とは別に形成された被抜止部を対応する抜止部に適した形状にする等して、収納位置に配置されたノック部材が収納筒部から中心脚回動中心側に抜け出ることを適切に防止することができる。また、ノック部材において被係合部と被抜止部を別々に形成したことで、収納筒部からの針の出し入れに伴って被係合部及び被抜止部に加わる力を軽減できる。このため、被係合部や被抜止部の変形や破損を抑制できる。
【図面の簡単な説明】
【００１０】
【図１】本考案の第一実施形態におけるコンパスの中心脚の要部を示し、（ａ）はノック部材を収納位置に配置したときの正面図、（ｂ）はノック部材を収納位置に配置したときの断面図、（ｃ）はノック部材を突出位置に配置したときの正面図、（ｄ）はノック部材を突出位置に配置したときの断面図である。
【図２】同上のコンパスの正面図である。
【図３】同上のノック部材の正面図である。
【図４】第二実施形態のコンパスを示し、（ａ）は係止解除部材を押込位置に配置した状態を示す正面図であり、（ｂ）は係止解除部材を使用位置に配置した状態を示す正面図であり、（ｃ）は係止解除部材を非使用位置に配置した状態を示す正面図である。
【考案を実施するための形態】
【００１１】
以下、本考案を添付図面に基づいて説明する。第一実施形態のコンパス１は、図２に示されるように、中心脚２及び回転脚３の夫々の長手方向の端部を、摘まみ４０が突設された軸支部材４に回動自在に連結し、両脚２、３を軸支部材４を中心にして開閉自在にしている。コンパス１は、一般的なコンパスと同様に、両脚２、３を開き、中心脚２に設けられた針８を紙面上に置き、摘まみ４０を摘まんで回転脚３を中心脚２を中心に回動することで、回転脚３に設けられた筆記具によって紙面に円や円弧を描くことができるものである。
【００１２】
両脚２、３は金属製であって、例えばダイキャストにより製造される。回転脚３の先端部（軸支部材４と反対側の端部）には、筆記具としての鉛筆５を着脱自在に取付可能な取付部３０が形成されている。取付部３０は、回転脚３の先端部から中心脚２と反対側に向かって突出している。取付部３０には、回転脚３の先端側に行く程中心脚２側に近づくように傾斜した挿通孔３００が形成されている。
【００１３】
取付部３０の突出端部の外周には、雄ねじ部３０１が形成されている。雄ねじ部３０１には、締付部材３１が取り付けられている。締付部材３１は、リング状で内周には雌ねじ部３１０が形成されている。締付部材３１は、雌ねじ部３１０を取付部３０の雄ねじ部３０１に螺合することで、取付部３０に取り付けられている。締付部材３１は、雄ねじ部３０１に対するねじ込み深さを変更することで、中心脚２側に近づけたり、中心脚２から遠ざけたりすることができる。
【００１４】
取付部３０に鉛筆５を取り付けるには、挿通孔３００に鉛筆５を挿入した後、取付部３０に螺合された締付部材３１を締めて、締付部材３１で鉛筆５を取付部３０の挿通孔３００の中心脚２側の側面に押圧する。取付部３０に取り付けた鉛筆５を取り外すには、取付部３０に螺合された締付部材３１を緩めた後、挿通孔３００から鉛筆５を引き抜く。なお、本実施形態では、回転脚３の先端部に鉛筆５を設けたが、鉛筆５に替えて、筆記芯やシャープペンシル等の他の筆記具を設けても構わない。
【００１５】
中心脚２の先端部（軸支部材４と反対側の端部）には、針８を出入自在に収納するための収納筒部２０が形成されている。収納筒部２０の軸方向は、中心脚２の長手方向と略平行であり、詳しくは、中心脚２先端側に行く程回転脚３側に位置するように僅かに傾斜している。図１（ｂ）及び図１（ｄ）に示されるように、収納筒部２０の内側には、中心脚２の先端側及び回動中心側（軸支部材４側）に開口した収納孔２００が形成されている。
【００１６】
収納筒部２０の収納孔２００には、ノック部材６が収納されている。ノック部材６は、収納筒部２０の軸方向に長い移動体７と、移動体７の中心脚２先端側に設けられた針８とで構成されている。
【００１７】
移動体７は、樹脂成型品であって、収納筒部２０の軸方向にスライド自在に収納されるスライド部７０と、スライド部７０の中心脚２先端側の端部から中心脚２先端側に向けて一体に突出した針接続部７１とで構成されている。移動体７の先端部である針接続部７１には、先鋭形状の針８の終端側が埋め込まれて接続されている。針８の先端側は、針接続部７１から中心脚２先端側に向かって突出している。
【００１８】
収納筒部２０の中心脚２先端側の部分には、付勢手段としてのばね９０が収納されている。ばね９０はコイルばねであり、その内側には針接続部７１が挿入されている。ばね９０の中心脚２先端側は、収納筒部２０の中心脚２先端側の端部内面に形成された段差面２０２で受けられている。ばね９０の中心脚２回動中心側（針８と反対側）は、スライド部７０の中心脚２先端側（針８側）の端面で受けられている。ばね９０は、押しばねであり、ノック部材６のスライド部７０を針８と反対側（中心脚２回動中心側）に付勢する。なお、本実施形態では、ノック部材６を針８と反対側に付勢する付勢手段をばね９０により構成したが、付勢手段はこれに限られず、例えばコイルばね以外の他のばねや、ゴム等の弾性体であってもよい。
【００１９】
スライド部７０は、針８側（中心脚２先端側）の部分と針８と反対側の部分とを、中心脚２と反対側に位置する接続片部７００で一体に接続したものである。
【００２０】
図３に示されるように、スライド部７０の針８と反対側の部分における回転脚３側には、針８側に突出した突出片部７０１が形成されている。突出片部７０１の突端部には、両脚２、３の開閉面（中心脚２の回動面）と直交する方向に突出した突起７０２が形成されている。
【００２１】
図１に示されるように、収納筒部２０の中心脚２回動中心側の周壁部には、収納筒部２０の軸方向に長く、両脚２、３の開閉面と直交する方向に貫通したスライド孔２０３が形成されている。ノック部材６の突起７０２は、スライド孔２０３に収納筒部２０の軸方向（スライド孔２０３の長手方向）にスライド自在に挿入されている。
【００２２】
ノック部材６は、突起７０２がスライド孔２０３の中心脚２回動中心側の端部から中心脚２先端側の端部に位置する範囲内で、収納筒部２０の軸方向に移動可能となっている。
【００２３】
図１（ａ）に示されるように、ノック部材６が針８を収納筒部２０に収納した収納位置に配置されたとき、ばね９０の付勢力を受けたノック部材６の突起７０２は、収納筒部２０のスライド孔２０３の中心脚２回動中心側の縁部２０４に当接する。すなわち、スライド孔２０３の縁部２０４は、収納位置に配置されたノック部材６を保持する役割を果たしている。また、スライド孔２０３の縁部２０４は、収納位置に配置されたノック部材６が、収納筒部２０から針８と反対側に抜け出すことを防止するための抜止部を構成している。
【００２４】
スライド部７０の針８と反対側の部分には、ガイド孔７０３が形成されている。ガイド孔７０３は、収納筒部２０の軸方向に長く、両脚２、３の開閉面に直交する方向に貫通している。
【００２５】
収納筒部２０の中心脚２回動中心側の端部における対向する壁部間には、両脚２、３の開閉面と直交する方向と平行なリベット９１が架設されている。
【００２６】
リベット９１は、その軸部９１０を収納筒部２０の周壁部の対向位置に形成されたリベット用孔に挿通し、軸部９１０においてリベット９１の頭部９１１（図２参照）と反対側の端部をかしめることで、収納筒部２０に取り付けられる。
【００２７】
リベット９１の軸部９１０は、ノック部材６のガイド孔７０３に収納筒部２０の軸方向にスライド自在に挿通される。これによって、ノック部材６は、周方向の回動が規制された状態で、収納筒部２０の軸方向にスライド自在となっている。
【００２８】
図１（ｂ）に示されるように、ノック部材６が針８を収納筒部２０に収納した収納位置に配置されたとき、リベット９１の軸部９１０は、ガイド孔７０３の針８側の端部に配置され、ガイド孔７０３の針８側の縁部に対向する。このため、収納位置に配置されたノック部材６が、収納筒部２０から針８と反対側に抜け出す方向に移動しようとした際には、ガイド孔７０３の針８側の縁部７０４がリベット９１の軸部９１０に針８側から当接するようになっている。すなわち、本実施形態では、ガイド孔７０３の縁部７０４により第二被抜止部が構成され、収納筒部２０に架設されたリベット９１の軸部９１０により、収納位置に配置されたノック部材６が収納筒部２０から針８と反対側に抜け出すことを防止する第二抜止部が構成されている。なお、リベット９１の軸部９１０は、ノック部材６が収納位置に配置されたときに、ガイド孔７０３の縁部７０４に当接するものであってもよいし、ガイド孔７０３の縁部７０４とは接触せずに縁部７０４の近傍に配置されるものであってもよい。
【００２９】
スライド部７０の針８と反対側の端部は、ノック部材６を針８側に押し込む際に利用者の指で押圧される押圧部７０５となっている。押圧部７０５は、収納筒部２０から針８と反対側に向かって突出している。押圧部７０５の外周部は、収納筒部２０の内周面よりも外周側に突出している。この突出部分は、収納位置に配置されたノック部材６が針８側に所定量押し込まれたときに、収納筒部２０の中心脚２回動中心側の端面に当接し、ノック部材６がそれ以上押し込まれることを防止するストッパー部として機能する。
【００３０】
スライド部７０の針８側の端部における回転脚３側には、針８と反対側に突出した突片部７０６が形成されている。突片部７０６の突出端部には、被係合部として、回転脚３側に突出した爪部７０７が形成されている。突片部７０６は、接続片部７００の中心脚２側に隙間を介して位置している。この隙間により、突片部７０６は、回転脚３と反対側へ撓み変形できるようになっている。
【００３１】
突片部７０６の爪部７０７側の端部は自由端となっており、また、突片部７０６の厚み方向は、爪部７０７の突出方向と略平行である。これにより、突片部７０６は爪部７０７の突出方向と反対側に弾性変形しやすくなっている。
【００３２】
収納筒部２０の回転脚３側の壁部には、当該壁部の厚み方向に貫通する窓孔２０８が形成されている。収納筒部２０において窓孔２０８の中心脚２回動中心側の縁部２０９は、ノック部材６を針８が収納筒部２０から中心脚２先端側に突出した突出位置に配置したときに、当該ノック部材６の爪部７０７（被係合部）が係合される係合部を構成する。また、収納筒部２０において窓孔２０８の中心脚２回動中心側の内面は、窓孔２０８に近づく程収納筒部２０の内側に位置するように傾斜した傾斜面２０１になっている。
【００３３】
図１（ａ）、図１（ｂ）に示されるように収納筒部２０に針８を収納した状態から、収納筒部２０から中心脚２先端側に針８を突出した状態にするには、手指でノック部材６の押圧部７０５をばね９０の付勢力に抗して針８側に押圧し、図１（ｃ）、図１（ｄ）に示されるようにノック部材６を突出位置まで移動させる。このようにすることで、ノック部材６の爪部７０７は収納筒部２０の傾斜面２０１によって押圧されて、突片部７０６が収納筒部２０の内側に撓み変形する。そして、この爪部７０７が傾斜面２０１を乗り越えて窓孔２０８に対応する位置に配置された時点で突片部７０６が弾性復帰し、これにより爪部７０７が窓孔２０８に入り込んで窓孔２０８の縁部２０９に係合される。このように、爪部７０７が係合されることで、ノック部材６の針８と反対側への移動が規制されて、ノック部材６は突出位置で保持される。
【００３４】
図１（ｃ）、図１（ｄ）に示されるように、針８を収納筒部２０から中心脚２先端側に突出した状態から、図１（ａ）、図１（ｂ）に示されるように収納筒部２０に針８を収納した状態にするには、手指で窓孔２０８から収納筒部２０の外部に露出した爪部７０７を収納筒部２０の内側に向かって押圧し、これにより、突片部７０６を回転脚３と反対側に撓み変形させて爪部７０７を窓孔２０８の縁部２０９との係合が外れる位置まで移動させる。このようにすると、ノック部材６は、図１（ａ）、図１（ｂ）に示されるように、ばね９０の付勢力によって中心脚２回動中心側に移動して収納位置に配置される。また、このとき突片部７０６は弾性復帰し、爪部７０７は収納筒部２０の傾斜面２０１に沿って配置される。
【００３５】
以上説明したように、本実施形態のコンパス１は、ノック部材６に、被係合部（爪部７０７）とは別の被抜止部（突起７０２）が形成され、収納筒部２０に、被抜止部に当接することで収納位置に配置されたノック部材６が収納筒部２０から針８と反対側に抜け出すことを防止するための抜止部（スライド孔２０３の縁部２０４）が設けられている。これにより、ノック部材６に形成された被係合部と収納筒部２０に形成された係合部（窓孔２０８の縁部２０９）との係合により、突出位置に配置されたノック部材６を保持し、ノック部材６に被係合部とは別に形成された被抜止部が収納筒部２０に設けられた抜止部に当接することにより、収納位置に配置されたノック部材６が針８と反対側に抜け出ることを防止することができる。従って、ノック部材６の被係合部を対応する係合部に適した形状にする等して、突出位置に配置されたノック部材６を適切に保持することができ、また、ノック部材６の被係合部とは別に形成された被抜止部を対応する抜止部に適した形状にする等して、収納位置に配置されたノック部材６が収納筒部２０から針８と反対側に抜け出ることを適切に防止することができる。また、ノック部材６において被係合部と被抜止部を別々に形成したことで、収納筒部２０からの針８の出し入れに伴って被係合部及び被抜止部に加わる力を軽減できる。このため、被係合部や被抜止部の変形や破損を抑制できる。
【００３６】
また、本実施形態では、ノック部材６に、被係合部及び被抜止部とは別の第二被抜止部（ガイド孔７０３の縁部７０４）が形成され、収納筒部２０に、第二被抜止部に当接することでノック部材６が針８と反対側に抜け出すことを防止するための第二抜止部（リベット９１の軸部９１０）が設けられている。このため、ノック部材６が収納筒部２０から中心脚２の回動中心側に抜け出すことを、被抜止部の抜止部に対する当接と、第二被抜止部の第二抜止部に対する当接とによって二重に防止することができる。
【００３７】
次に前記第一実施形態とは異なる第二実施形態について説明する。なお、以下の説明では第一実施形態と同一の構成については同一の番号を付与し、重複する説明は省略する。
【００３８】
図４に示される本実施形態のコンパス１は、中心脚２に係止解除部材９２を設け、ノック部材６が突出位置に配置された状態で、両脚２、３が閉じられたときに、係止解除部材９２により、窓孔２０８に配置された爪部７０７が窓孔２０８の縁部２０９との係合が外れる位置まで押動されるようにしたものである。
【００３９】
中心脚２の収納筒部２０側には、回転脚３側に突出した枢支部２１が形成されている。係止解除部材９２は僅かに湾曲した棒状であって、その一端部は中心脚２の枢支部２１に回動自在に連結されている。係止解除部材９２は、その回動軸方向が両脚２、３の回動軸方向と平行であり、枢支部２１側の端部を中心にして両脚２、３の開閉面に沿って回動するようになっている。
【００４０】
係止解除部材９２は、図４（ｃ）に示されるように、中心脚２の収納筒部２０よりも回動中心側の部分の回転脚３側の面に沿った非使用位置に配置された状態から、図４（ａ）に示されるように、収納筒部２０の回動脚３側の面に沿った押込位置に配置された状態までの範囲で、回動自在となっている。
【００４１】
係止解除部材９２を用いるときには、係止解除部材９２を図４（ｂ）に示されるように中心脚２先端側に回動して中心脚２先端側に突出させた使用位置に配置する。なお、中心脚２には、図４（ａ）に示される押込位置に配置された係止解除部材９２を、図４（ｂ）に示される使用位置まで移動させるばね等の付勢手段を設けることが好ましい。このようにすることで、押込位置に配置された係止解除部材９２を使用位置まで回動させる手間を軽減できる。
【００４２】
係止解除部材９２の先端部（枢支部２１と反対側の端部）には、非使用位置から押込位置に向かって回動するときの回動方向前側に向かって突出した押込部９２０が形成されている。
【００４３】
図４（ｂ）に示されるように、ノック部材６を突出位置に配置し且つ係止解除部材９２を使用位置に配置した状態で両脚２、３を閉じたときには、図４（ａ）に示されるように、回転脚３の先端部により係止解除部材９２の枢支部２１側が中心脚２側に押し込まれ、この係止解除部材９２の押込部９２０によって、窓孔２０８から露出した爪部７０７が収納筒部２０の内側に押動されて、爪部７０７と窓孔２０８の縁部２０９との係合が解除される位置まで移動するようになっている。このため、両脚２、３を閉じたときには、係止解除部材９２によって、爪部７０７と窓孔２０８の縁部２０９との係合が解除され、これによりノック部材６がばね９０の付勢力によって収納位置まで移動するようになっている。
【００４４】
両脚２、３の対向面には、他方の脚から離れる方向に凹ませた凹面９３が形成されている。図４（ｃ）に示されるように両脚２、３を閉じた状態では、両脚２、３の凹面９３の間に非使用位置に配置された係止解除部材９２が配置される隙間が形成されている。また、回転脚３の中心脚２側の面には、両脚２、３を閉じたときに枢支部２１が収納される凹部９４が形成されている。
【００４５】
以上説明したように、本実施形態のコンパス１は、ノック部材６が突出位置に配置された状態で、中心脚２及び回転脚３の両脚２、３が閉じられたときに、係止解除部材９２により、窓孔２０８に配置された被係合部（爪部７０７）が係合部（窓孔２０８の縁部２０９）との係合が外れる位置まで押動されるようにしてある。このため、ノック部材６を突出位置に配置した状態で両脚２、３を閉じたときには、係止解除部材９２によって被係合部を押し込んで被係合部と係合部の係合を解除し、ノック部材６を収納位置に移動させることができる。従って、コンパス１を仕舞うとき等に、窓孔２０８から露出した被係合部を手指で押す作業をすることなく、簡単に針８を収納筒部２０に収納することができる。
【００４６】
なお、係止解除部材９２は、ノック部材６を突出位置に配置した状態で両脚２、３を閉じたときに被係合部を押し込むことができるものであれば、回転脚３に設けても構わない。また、本実施形態のコンパス１は、第一実施形態と同様、ノック部材６に被係合部とは別の被抜止部を形成したものであるが、従来のように被係合部が被抜止部を兼ねるものとしても構わない。
【００４７】
また、前記各実施形態におけるノック部材６は針８を移動体７と一体的に接続したものであるが、例えば移動体７の先端側に針８を配置すると共に、収納筒部２０に針８を移動体７側に付勢する付勢手段を設け、移動体７が中心脚２先端側に押し込まれたときに当該移動体７によって針８が収納筒部２０から中心脚２先端側に突出する位置まで移動するようにし、被係合部と係合部の係合が解除されたときに、移動体７が付勢手段により付勢された針８によって押されて針８と共に中心脚２回動中心側に移動するようにしてもよい。
【００４８】
また、前記各実施形態では、ノック部材６が針８と反対側に抜け出すことを、被抜止部の抜止部に対する当接と、第二被抜止部の第二抜止部に対する当接とによって二重に防止したが、このうちの一方のみでノック部材６の抜止めを図ってもよい。
【００４９】
また、本実施形態のコンパスは、円や円弧を描くために利用されるものであるが、本考案は、コンパスの一種であって、両脚に針を設けて二点間の距離を測定するためのいわゆるディバイダーにも適用可能である。
【００５０】
また、この他、本考案は上述した実施形態に限定されるものではなく、例えば係合部、被係合部、抜止部、被抜止部、第二抜止部、及び第二被抜止部の形状を変更する等、本考案の趣旨を逸脱しない範囲内で適宜設計変更可能である。
【符号の説明】
【００５１】
１  コンパス
２  中心脚
６  ノック部材
８  針
２０  収納筒部
９０  ばね（付勢手段）
９２  係止解除部材
２０４  スライド孔の縁部（抜止部）
２０８  窓孔
２０９  窓孔の縁部（係合部）
７０２  突起（被抜止部）
７０４  ガイド孔の縁部（第二被抜止部）
７０７  爪部（被係合部）
９１０  リベットの軸部（第二抜止部）
【図１】
0003184844.tif 000003
【図２】
0003184844.tif 000004
【図３】
0003184844.tif 000005
【図４】
0003184844.tif 000006